(57)【要約】【課題】靴内の通気性を改善し、特に水虫のできやすい足指のつけ根一帯の通気を良くすることによって、水虫の発生を防止するようにした水虫防止靴を提供する。【解決手段】靴１の中底２の上面であって足指のつけ根３一帯に相当する部位に底面４が平状となる溝５が形成され、この溝５の底面に沿う靴の側部６に１個又は複数個の通気孔７が設けられたことによって、靴の外部の空気を通気孔７から溝５を経て靴の内部に吸入及び排出するようにした。【選択図】図３
2006075182.tif 000002
【特許請求の範囲】
【請求項１】
靴の中底の上面であって足指のつけ根一帯に相当する部位に底面が平状となる溝が形成され、この溝の底面に沿う靴の側部に１個又は複数個の通気孔が設けられたことによって、靴の外部の空気を前記通気孔から前記溝を経て靴の内部に吸入及び排出するようにしたことを特徴とする水虫防止靴。
【請求項２】
前記靴の中底の上面に形成された溝は、少なくとも足の小指のつけ根一帯に相当する部位に設けられたことを特徴とする請求項１記載の水虫防止靴。
【請求項３】
前記靴の中底の上面に形成された溝は、足の小指のつけ根一帯に相当する部位と足の親指のつけ根一帯に相当する部位に設けられたことを特徴とする請求項１又は２記載の水虫防止靴。
【請求項４】
前記靴の中底の上面に形成された溝は、足の小指のつけ根一帯に相当する部位と足の親指のつけ根一帯に相当する部位に設けられた溝が互いに連通されたことを特徴とする請求項１又は２記載の水虫防止靴。
【発明の詳細な説明】
【技術分野】
【０００１】
本発明は、靴を長時間履いた場合でも、靴の内部、特に足指やその周囲が蒸れないように通気性を良くし、水虫を防止するようにした水虫防止靴に関する。
【背景技術】
【０００２】
従来の靴は内部の通気性が悪く、主に足裏等からの発汗で靴内が蒸れて履き心地が悪くなるうえ、悪臭が発生し、水虫が発生する原因となるものであった。
【０００３】
このため、従来から、靴の内部が蒸れないように通気性を改善した靴が開発されている。そのような従来の技術について説明すると、特許文献１に記載の発明は、図７(a)に示すように、中敷21の土踏まず相当部から踵部へ向かって次第に厚さを増した傾斜面22を有し、傾斜面22の裏面に凹部23が設けられると共に、凹部23に傾斜面22の上面に貫通する複数個の通気孔24、24…が設けられた構成を有する。さらに、図７(b)に示すように、中敷21の爪先部に複数個の通気孔25、25…が設けられ、凹部23と通気孔25とは溝26で連結されている。
【０００４】
上記の中敷21を靴20の中底27上に挿入することにより、凹部23が中底27の上面によって空間部28を形成し、溝26がエアチャンネル29を構成する。このような靴20を履いて歩行すると、歩行動作によって空間部28の容積が変化し、該空間部28にて圧縮或は膨張する空気はエアチャンネル29及び通気孔25を経て靴内の爪先部に空気を流通する。
【０００５】
また、特許文献２に記載の発明は、図８(a)及び(b)に示すように、超高分子量プラスチックからなる選択透過性のある薄板材31を、靴底32に穿設した複数個の通気孔33、33…を覆う大きさに形成して、靴底32と靴30の中底34との間に敷設した構成を有するものである。このような構成もまた、足の爪先部への通気性を良好にするために成されたものであり、複数個の通気孔33、33…を経て靴底32からの空気を靴内に流通させるようにしている。
【特許文献１】特開平０８−２８０４１０号公報
【特許文献２】特開平１０−２４８６０４号公報
【発明の開示】
【発明が解決しようとする課題】
【０００６】
ところが、特許文献１に記載の発明においては、複数個の通気孔24、24…は、中敷21の土踏まず相当部から踵部へ向かって次第に厚さを増した傾斜面22の裏面の凹部23に設けられたものである。従って、この文献における通気孔24は、最もむれやすい足指のつけ根部に形成されたものではなく、足指のつけ根周辺に生じやすい水虫を防止しうるものではない。
【０００７】
また、特許文献２に記載の発明は、靴底32に形成された複数個の通気孔33、33…から靴内部へ空気を流通させるようにしたものであり、上記の文献同様に、複数個の通気孔33は、最もむれやすい足指のつけ根部に形成されたものではなく、靴底32が地面に接触している間において通気孔33、33…は閉塞され、また地面に接触した状態で通気孔33、33…に砂や土やゴミ等が詰まると、通気孔33、33…が無用のものになるという問題がある。
【０００８】
本発明は、以上のような従来技術の問題点を解消するためになされたもので、靴内の通気性を改善し、特に水虫のできやすい足指のつけ根一帯の通気を良くすることによって、水虫の発生を防止するようにした水虫防止靴を提供することを目的とする。
【課題を解決するための手段】
【０００９】
上記の目的を達成するために、本発明の請求項１の水虫防止靴は、靴の中底の上面であって足指のつけ根一帯に相当する部位に底面が平状となる溝が形成され、この溝の底面に沿う靴の側部に１個又は複数個の通気孔が設けられたことによって、靴の外部の空気を前記通気孔から前記溝を経て靴の内部に吸入及び排出するようにしたことを特徴とする。
【００１０】
また、本発明の請求項２の水虫防止靴は、請求項1において、前記靴の中底の上面に形成された溝は、少なくとも足の小指のつけ根一帯に相当する部位に設けられたことを特徴とする。
【００１１】
また、本発明の請求項３の水虫防止靴は、請求項1又は２において、前記靴の中底の上面に形成された溝は、足の小指のつけ根一帯に相当する部位と足の親指のつけ根一帯に相当する部位に設けられたことを特徴とする。
【００１２】
さらに、本発明の請求項４の水虫防止靴は、請求項1又は２において、前記靴の中底の上面に形成された溝は、足の小指のつけ根一帯に相当する部位と足の親指のつけ根一帯に相当する部位に設けられた溝が互いに連通されたことを特徴とする。
【発明の効果】
【００１３】
以上説明したように、本発明の水虫防止靴は、靴の中底の上面であって足指のつけ根一帯に相当する部位に底面が平状となる溝が形成され、この溝の底面に沿う靴の側部に１個又は複数個の通気孔が設けられた構成とされている。このため、靴を履いた者が歩かずに静止しているときであっても、上記の通気孔と靴の中底の上面の溝を経て靴の内部の空気を効率的に交換することができる。
【００１４】
また、歩行中に、足裏が中底に密着したり離間したりすることを繰り返す動作により、靴内の空気に吸引と排出作用が生じるため、靴の側部に設けられた複数の通気孔を経て靴内の空気を排出したり外部の空気を吸入したりすることができ、靴内の空気は外部の空気と効率的に交換され、靴内は新鮮に保たれることになり、蒸れやすく水虫にかかりやすい足指のつけ根一帯やその周囲の足裏の湿気を外部へ排出し、また外部からの新鮮な空気を流入して、水虫を効率的に防止することが可能となる。
【発明を実施するための最良の形態】
【００１５】
以下、本発明の実施例について図面を参照しながら説明する。
【実施例１】
【００１６】
本発明による水虫防止靴は、図３〜図６に示すように、靴１の中底２の上面であって足指のつけ根３一帯に相当する部位に底面４が平状となる溝５が形成され、この溝５の底面４に沿う靴１の側部６に１個又は複数個の通気孔７が設けられたことによって、靴１の外部の空気を夫々の通気孔７から溝５を経て靴１の内部に吸入及び排出するようにしたものである。
【００１７】
本発明の構成を詳細に述べると、本発明が適用される靴自体の構成は、特定されるものではなく、図１及び図２に示すように、中底２が甲被８で覆われた形態の靴１であれば、本発明の効果を十分に発揮しうるものである。
【００１８】
また、図３〜図６に示す図面は、靴１の中底２の先部一帯に関する上面図であり、その中底２の側部６に図示してあるものは、通気孔７が形成された靴１の側部６をなす甲被８の一部を破断して示したものである。
【００１９】
このような靴１において、図３に示すように、靴１の中底２の上面であって足指のつけ根３一帯に相当する部位に、底面４が平状となる溝５が形成されている。ただし、この図３に示す溝５は、図４に示すように、少なくとも足の小指のつけ根３一帯に相当する部位に設けられた溝５に対応するものである。また、図３及び図４に示す溝５は、足の小指のつけ根において最も幅広の溝５ａを有し、そこから薬指、中指、人差し指に向かって幅狭の溝５ｂとなっている。
【００２０】
なお、上記のように溝５を足指のつけ根３一帯に相当する部位に設けたことによって、足指の裏側及び足裏が溝５に接触することがほとんどないため、溝５の存在によって靴の履き心地が悪くなるとは回避できる。
【００２１】
また、上記のように溝５を少なくとも足の小指のつけ根３一帯に相当する部位に設けたのは、靴１を履いた状態で足の小指のつけ根付近が最も中底２の上面に密着しており、そのため蒸れやすいからである。さらに、本実施例においては、その小指のつけ根一帯に相当する部位から薬指、中指、人差し指に向かって設けられた幅狭の溝５によって、薬指、中指、人差し指のつけ根一帯にも通気を良くして、靴１内のむれを防止するようにしている。
【００２２】
このような溝５は、上記のほかに、図５に示すように、足の小指のつけ根３一帯に相当する部位と足の親指のつけ根３一帯に相当する部位に設けてもよい。このような溝５の形成においても、小指のつけ根３一帯に相当する部位から薬指、中指、人差し指に向かって幅狭の溝５を形成するのが望ましい。
【００２３】
なお、溝５の段差は滑らかな勾配で平状の底面４に到るように設けてもよいし、図４〜図６の斜線で示す段差５の境界を縦状に掘り下げた凹状としても良い。
【００２４】
さらに、上記の靴１の中底２の上面に設けた溝５は、図６に示すように、足の小指のつけ根３一帯に相当する部位と足の親指のつけ根３一帯に相当する部位に設けられた溝５が互いに連通された形状としても良い。
【００２５】
さらに、本発明においては、図３〜図６に示すように、上記の溝５の底面４に沿う靴１の側部６に１個又は複数個の通気孔７が設けられたことによって、外部の空気を通気孔７から溝５を経て靴１の内部に吸入及び排出するようにしている。この通気孔７の形状は、各図に示すような円形のほかに、半円形、楕円形等にしてもよい。また、この通気孔７の数は、靴１の側部６における溝５の幅とも関係するもので、複数個の通気孔７を設ける場合は、互いの通気孔７、７間に適当な離間幅を設けて適当数の通気孔７を並設した状態で形成するものとする。
【００２６】
また、本発明において、それぞれの通気孔７が溝５の底面４に沿う靴１の側部６に設けられた構成としてあり、中底２の溝５の底面４に段差のない状態で形成されるのが望ましい。こうすることによって、靴１の外部の空気を通気孔７から溝５を経て靴１の内部へ吸入し、また靴１の内部の空気を溝５から通気孔７を経て外部へ排出する効率が最も望ましい状態となる。
【００２７】
なお、溝５が設けられない部位にも靴１の側部６に通気孔７を設けることによって、靴１の内部の通気を良くする構成としてもよい。その例として、図２に示すように、靴１の先端付近において靴１の内部と通じる複数個の通気孔７を形成したり、図４に示すように、中底２の上面に溝５が設けられていない足の親指側の側部６にも中底２の上面に沿って段差のない状態で複数個の通気孔７、７…を設けるようにしてもよい。
【００２８】
上記の構成によって、図１に示すように、本発明の靴１を履いた状態において、足指周辺の足裏は中底２の上面に接触した状態にある。このように足裏が中底２の上面に接触しているときには、靴１内の空気は流通し難いが、本発明の構成においては、この靴１を履いた者が歩かずに静止している状態のときでも、通気孔７から溝５の形成範囲において外部からの空気が流通しやすいため、靴１内の蒸れやすい箇所に上記のように通気孔７と溝５を設けることによって、靴１内の空気と外部の空気を交換することができる。
【００２９】
また、この靴１を履いて、歩行等の動作を行っている際には、足裏が中底２の上面から離間する動作によって靴１内に吸引作用が生じる。このとき、外部の空気は、靴１の側部６に設けられた通気孔７を通過して溝５内に吸入され、その周囲の靴1内に至る。
【００３０】
また、靴１を踏みしめる動作に移行したとき、足裏が中底２の上面に密着することによって、足裏と中底２の上面との間を流通していた空気が圧縮されて通気孔７から外部へ排出される。
【００３１】
従って、本発明の靴１を履いた歩行者が、上記の動作を繰り返すことによって、通気孔７を経て、空気の吸引と排出を強制的に繰り返し、靴１内の空気は外部の空気と効率的に交換され、靴１内は新鮮に保たれる。
【産業上の利用可能性】
【００３２】
本発明は、布製靴、皮製靴、さらには合成樹脂製靴に適用可能であり、通常の靴に本発明を適用することができる他、特に通風状態の悪い室内等で使用される作業靴や運動靴等において、靴を長時間履いた場合でも、靴の内部、特に足指やその周囲が蒸れないように通気性をよくし、水虫を防止することができる。
【図面の簡単な説明】
【００３３】
【図１】本発明による水虫防止靴を親指側から見た外観図である。
【図２】本発明による水虫防止靴を前方から見た外観図である。
【図３】本発明による水虫防止靴の先部周辺の内部を示す斜視図であり、この靴の側部には通気孔を設けた甲被である靴の側部を部分的に示している。
【図４】本発明による水虫防止靴の先部周辺を示す部分平面図であり、少なくとも足の小指のつけ根一帯に相当する部位に溝を設けた状態を示す。
【図５】本発明による水虫防止靴の先部周辺を示す部分平面図であり、足の小指のつけ根一帯に相当する部位と足の親指のつけ根一帯に相当する部位に溝を設けた状態を示す。
【図６】本発明による水虫防止靴の先部周辺を示す部分平面図であり、足の小指のつけ根一帯に相当する部位と足の親指のつけ根一帯に相当する部位に設けられた溝が互いに連通された状態を示す。
【図７】(a)及び(b)は、特許文献１に記載された靴の断面図と中底の底面図である。
【図８】(a)及び(b)は、特許文献２に記載された靴の側面図と靴底の斜視図である。
【符号の説明】
【００３４】
１…靴
２…中底
３…足指のつけ根
４…底面
５…溝
６…靴の側部
７…通気孔
８…甲被
【図１】
2006075182.tif 000003
【図２】
2006075182.tif 000004
【図３】
2006075182.tif 000005
【図４】
2006075182.tif 000006
【図５】
2006075182.tif 000007
【図６】
2006075182.tif 000008
【図７】
2006075182.tif 000009
【図８】
2006075182.tif 000010